【手続補正書】
【提出日】平成20年12月16日(2008.12.16)
【手続補正１】
【補正対象書類名】特許請求の範囲
【補正対象項目名】請求項３
【補正方法】変更
【補正の内容】
【請求項３】
メモリと、第１の制御部と、互いに異なる第１および第２の周波数のＲＦ信号をそれぞれのタイミングでキャリア・センスして検知するよう動作する第１の受信部と、情報要求信号を受信したときに前記第１および第２の周波数と異なる第３の周波数の応答信号を送信する第１の送信部と、を具えるアクティブ型非接触情報記憶装置と、
少なくとも３つの読取り書込み装置と、
を含む、非接触情報記憶装置内の情報にアクセスするための情報アクセス・システムであって、
前記少なくとも３つの読取り書込み装置の中の第１の読取り書込み装置は、情報処理装置に接続されていて、第２の制御部と、前記第２の制御部の制御の下で、第１の期間において不動作状態となり、第２の期間において前記第１の周波数の情報要求信号を周期的に繰り返し送信し、第３の期間において前記第２の周波数の情報要求信号を周期的に繰り返し送信する第２の送信部と、前記第３の周波数のＲＦ信号をいつでも受信可能なように連続的な受信待ち状態をとるよう構成された第２の受信部と、を具え、
前記少なくとも３つの読取り書込み装置の中の第２の読取り書込み装置は、前記情報処理装置に接続されていて、第３の制御部と、前記第３の制御部の制御の下で、前記第２の期間において不動作状態となり、前記第３の期間において前記第１の周波数の情報要求信号を周期的に繰り返し送信し、前記第２および第３の期間とは異なる期間において前記第２の周波数の情報要求信号を周期的に繰り返し送信する第３の送信部と、前記第３の周波数のＲＦ信号をいつでも受信可能なように連続的な受信待ち状態をとるよう構成された第３の受信部と、を具え、
前記第１の制御部は、前記第１の受信部を、前記第１と第２の期間の各々よりも短い所定の周期で第１の所定期間に前記第１の周波数のＲＦ信号をキャリア・センスし、前記第１と第２の期間の各々よりも短い所定の周期で第２の所定期間に前記第２の周波数のＲＦ信号をキャリア・センスするよう制御し、
前記第１の受信部が或る第１の所定期間に前記第１の周波数のＲＦ信号をキャリア・センスして検知したとき、前記第１の制御部は、前記第１の受信部をさらに前記情報要求信号を受信するよう動作させ、前記情報要求信号に応答して、前記第１の送信部を、前記メモリに格納された情報を含む前記第３の周波数の応答信号を送信するよう動作させ、
前記第１の受信部が或る第２の所定期間に前記第２の周波数のＲＦ信号をキャリア・センスして検知したとき、前記第１の制御部は、前記第１の受信部をさらに前記情報要求信号を受信するよう動作させ、前記情報要求信号に応答して、前記第１の送信部を、前記メモリに格納された情報を含む前記第３の周波数の応答信号を送信するよう動作させ、
前記第１の制御部は、キャリア・センスのとき、前記或る第１と第２の所定期間において前記第１の受信部を動作状態にしかつ前記第１の送信部を不動作状態にし、前記第１の受信部が前記或る第１または第２の所定期間に前記第１の周波数のＲＦ信号をキャリア・センスしても検知されなかったとき、前記キャリア・センスの前記或る第１または第２の所定期間と次にキャリア・センスを行うべき前記所定期間との間の非キャリア・センス期間において、前記第１の受信部および前記第１の送信部を不動作状態を維持するよう制御することを特徴とする、情報アクセス・システム。
【手続補正２】
【補正対象書類名】特許請求の範囲
【補正対象項目名】請求項４
【補正方法】変更
【補正の内容】
【請求項４】
メモリと、制御部と、異なる複数のｍ個の周波数のＲＦ信号をそれぞれのタイミングでキャリア・センスして検知するよう動作する受信部（ｍは整数）と、情報要求信号を受信したときに前記ｍ個の周波数と異なる別の周波数の応答信号を送信する送信部と、を具えるアクティブ型非接触情報記憶装置と、
３個以上の複数ｑ個の読取り書込み装置（ｑはｍより大きい整数）と、
を含む、非接触情報記憶装置内の情報にアクセスするための情報アクセス・システムであって、
前記ｑ個の読取り書込み装置の各々は、周期的なｑ個の期間の中のｍ個の期間の各々において、前記ｍ個の周波数の中の対応する１つの周波数の情報要求信号を周期的に繰り返し送信し、前記ｑ個の期間の中の他の期間において不動作状態となる第２の送信部と、前記第３の周波数のＲＦ信号をいつでも受信可能なように連続的な受信待ち状態をとるよう構成された第２の受信部と、を具え、
前記ｑ個の期間の中の１つの期間において、前記ｑ個の読取り書込み装置の中のｍ個の読取り書込み装置は、互いに異なる周波数で情報要求信号を周期的に繰り返し送信し、
前記制御部は、前記第１の受信部を、前記ｑ個の期間の中の１つの期間において前記１つの期間の長さをｍで除した時間長さより短い周期で発生する或る所定期間に前記ｍ個の周波数のＲＦ信号を順次キャリア・センスするよう制御し、
前記第１の受信部が或る所定期間に前記ｍ個の周波数の中の１つの周波数のＲＦ信号をキャリア・センスして検知したとき、前記制御部は、前記第１の受信部をさらに前記情報要求信号を受信するよう動作させ、前記情報要求信号に応答して、前記第１の送信部を、前記メモリに格納された情報を含む前記別の周波数の応答信号を送信するよう動作させ、
前記制御部は、キャリア・センスのとき、前記或る所定期間および次の所定期間において前記第１の受信部を動作状態にしかつ前記第１の送信部を不動作状態にし、前記第１の受信部が前記或る所定期間に前記ｍ個の周波数の中の１つ周波数のＲＦ信号をキャリア・センスしても検知されなかったとき、前記キャリア・センスの前記或る所定期間と次にキャリア・センスを行うべき前記次の所定期間との間の非キャリア・センス期間において、前記第１の受信部および前記第１の送信部を不動作状態を維持するよう制御することを特徴とする、情報アクセス・システム。
【手続補正３】
【補正対象書類名】特許請求の範囲
【補正対象項目名】請求項５
【補正方法】変更
【補正の内容】
【請求項５】
メモリと、
複数ｑ個の読取り書込み装置の中の１つ以上の読取り書込み装置の通信可能範囲に入ったとき、ｑ個の期間の中の１つの期間に前記１つの読取り書込み装置から、異なる複数のｍ個の周波数の中の１つの周波数の情報要求信号をキャリア・センスして検知するよう動作する受信部と、
データでキャリアを変調して前記ｍ個の周波数と異なる別の周波数の応答信号を前記１つの読取り書込み装置に送信する送信部と、
前記受信部および前記送信部を制御する制御部と、
を具えるアクティブ型非接触情報記憶装置であって、
前記制御部は、前記受信部を、前記ｑ個の期間の各々より短い所定の周期の所定期間に前記ｍ個の周波数のＲＦ信号をキャリア・センスするよう制御し、
前記受信部が或る所定期間に前記ｍ個の周波数の中の１つの周波数のＲＦ信号をキャリア・センスして検知したとき、前記制御部は、前記受信部をさらに前記情報要求信号を受信するよう動作させ、前記情報要求に応答して、前記送信部を、前記メモリに格納された情報を含む前記別の周波数の応答信号を送信するよう動作させ、
前記制御部は、キャリア・センスのとき、前記或る所定期間および次の所定期間において前記受信部を動作状態にしかつ前記送信部を不動作状態にし、前記受信部が前記或る所定期間に前記第１の周波数のＲＦ信号をキャリア・センスしても検知できなかったとき、前記キャリア・センスの前記或る所定期間と次にキャリア・センスを行うべき前記次の所定期間との間の非キャリア・センス期間において、前記受信部および前記送信部を不動作状態を維持するよう制御し、
前記制御部は、前記アクティブ型非接触情報記憶装置の電力残量を検出し、
前記検出された電力残量が所定の閾値より低いときに、前記制御部は、前記所定期間の周期を前記１つの期間より短い別の長さに長く設定することを特徴とする、アクティブ型非接触情報記憶装置。
【手続補正４】
【補正対象書類名】特許請求の範囲
【補正対象項目名】請求項６
【補正方法】変更
【補正の内容】
【請求項６】
情報処理装置に接続されており、第１の制御部と、第１の送信部と、第１の受信部とを具える第１の読取り書込み装置と、
前記情報処理装置に接続されており、第２の制御部と、第２の送信部と、第２の受信部とを具える第２の読取り書込み装置と、
を含む情報アクセス・システムにおいて、非接触情報記憶装置内の情報にアクセスする方法であって、
前記第１の制御部の制御の下で、第１の期間において、前記第１の読み取り装置の前記第１の送信部に第１の周波数の情報要求信号を周期的に繰り返し送信させ、第２の期間において前記第１の送信部を不動作状態とし、前記第１および第２の期間において第３の周波数のＲＦ信号をいつでも受信可能なように連続的な受信待ち状態をとるよう前記第１の受信部を制御し、
前記第２の制御部の制御の下で、前記第２の期間において、前記第２の読み取り装置の前記第２の送信部に第２の周波数の情報要求信号を周期的に繰り返し送信させ、前記第１の期間において前記第２の送信部を不動作状態とし、前記第１と第２の期間において前記第３の周波数のＲＦ信号をいつでも受信可能なように連続的な受信待ち状態をとるよう前記第２の受信部を制御すること、
を特徴とする、非接触情報記憶装置内の情報にアクセスする方法。
【手続補正５】
【補正対象書類名】明細書
【補正対象項目名】００６２
【補正方法】変更
【補正の内容】
【００６２】
図７Ｂを参照すると、リーダ／ライタ装置３０２の受信部３５０は、常に受信待ち状態４６にあり、ＲＦ  ＩＤタグ２０２が接近してＲＦ信号を受信したときに、受信処理４８のタイミングにおいて受信ＲＦ信号を復調して符号化された暗号データを生成し、データ復号部３４２は符号化された暗号データを所定の符号化方式に従って復号し、その復号された暗号データを、所定の暗号方式に従って暗号鍵／復号鍵Ｋｅを用いて解読してタグＩＤを含む応答データを再生し、その再生された応答を制御部３１０に供給する。その受信再生された応答に応答して、制御部３１０は、その応答に含まれている時刻ＴおよびシステムＩＤを用いてＲＦ  ＩＤタグ２０２を認証し、そのタグＩＤおよびその他の情報をホスト・コンピュータに供給する。
【手続補正６】
【補正対象書類名】明細書
【補正対象項目名】００７６
【補正方法】変更
【補正の内容】
【００７６】
リーダ／ライタ装置３０２、３０４および３０６は、ぞれぞれの異なる時間期間ｔ１、ｔ２およびｔ３に周波数ｆ１でタグＩＤ要求コマンドを含むＲＦ信号を送信し、常に周波数ｆ２またはｆ２ｉの応答信号の受信待ち状態にある。ＲＦ  ＩＤタグ２０２は、図６の構成を有し、周期的に周波数ｆ１でキャリア・センスを行ってＩＤ要求信号を受信し、周波数ｆ２またはｆ２ｉの応答信号を送信する。リーダ／ライタ装置３０２、３０４および３０６のシステムＩＤは、互いに異なる。この場合、リーダ／ライタ装置３０２、３０４および３０６は送信タイミングについて互いに同期している。
【手続補正７】
【補正対象書類名】明細書
【補正対象項目名】００８８
【補正方法】変更
【補正の内容】
【００８８】
図７Ｃの場合と同様に、認証に成功した場合は、そのコマンドに応答して、制御部２１０は、所定期間内のランダムに選択された送信処理５６のタイミングで例えば１００ｍｓといった所定の持続時間において、データ生成部２２０および送信部２３０をイネーブルし、データ生成部２２０はメモリ２１４から取り出したタグＩＤ（ＩＤ＿ｔａｇ）およびその他の情報を含むデータを生成して所定の符号化方式に従って符号化する。送信部２３０はそのタグＩＤを含む応答データでキャリアを変調して指定された送信周波数ｆ２（例えば、３１６．０ＭＨｚ）のＲＦ応答信号を送信する。
【手続補正８】
【補正対象書類名】明細書
【補正対象項目名】００８９
【補正方法】変更
【補正の内容】
【００８９】
図１３Ｂ、１３Ｄおよび１３Ｆを参照すると、時間期間ｔ１の後半および時間期間ｔ２の前半において、リーダ／ライタ装置３０２および３０４の各々の受信部３５０は、図７Ｂの場合と同様に、常に受信待ち状態４６にあり、ＲＦ  ＩＤタグ２０２が接近して周波数ｆ２のＲＦ応答信号を受信する。時間期間ｔ２の後半および時間期間ｔ３の前半において、リーダ／ライタ装置３０４および３０６の各々の受信部３５０は、常に受信待ち状態４６にあり、ＲＦ  ＩＤタグ２０２が接近して周波数ｆ２のＲＦ応答信号を受信する。対応するリーダ／ライタ装置の受信部３５０が周波数ｆ２のＲＦ応答信号を受信したときに、受信処理４８のタイミングにおいて受信ＲＦ応答信号を復調して符号化された暗号データを生成し、データ復号部３４２は符号化された暗号データを所定の符号化方式に従って復号し、その復号された暗号データを、所定の暗号方式に従って暗号鍵／復号鍵Ｋｅを用いて解読してタグＩＤを含む応答データを再生し、その再生された応答を制御部３１０に供給する。その受信再生された応答に応答して、制御部３１０は、その応答に含まれている時刻ＴおよびシステムＩＤを用いてＲＦ  ＩＤタグ２０２を認証する。制御部３１０は、そのタグＩＤおよびその他の情報をホスト装置１００に供給する。ホスト装置１００は、タグＩＤを冗長性フィルタリングし、冗長性のないタグＩＤを処理して、商品の流通または人を監視し管理するのに用いる。
【手続補正９】
【補正対象書類名】明細書
【補正対象項目名】００９８
【補正方法】変更
【補正の内容】
【００９８】
図１６Ｇを参照すると、ＲＦ  ＩＤタグ２０２において、受信部２５０およびキャリア判定部２４６は、ウェイクアップ部２７０のウェイクアップ信号に従って、例えば０．４８秒の周期Ｔｓの例えば約１ｍｓ〜１０ｍｓの所定の持続時間で発生するキャリア・センス５０および５２のタイミングで制御部２１０によってイネーブルされる。それによって、受信部２５０は受信周波数ｆ１１およびｆ１２で交互に受信待ち状態になり、キャリア判定部２４６は受信部２５０からの受信ＲＦ信号キャリア電力の強度を表すデータに従って受信キャリアの有無の判定を行う。
【手続補正１０】
【補正対象書類名】明細書
【補正対象項目名】０１０２
【補正方法】変更
【補正の内容】
【０１０２】
図７Ｃの場合と同様に、認証に成功した場合は、そのコマンドに応答して、制御部２１０は、所定期間内のランダムに選択された送信処理５６のタイミングで、データ生成部２２０および送信部２３０をイネーブルし、データ生成部２２０はタグＩＤおよびその他の情報を含むデータを生成して所定の符号化方式に従って符号化する。送信部２３０はそのタグＩＤを含む応答データでキャリアを変調して送信周波数ｆ２のＲＦ応答信号を送信する。
【手続補正１１】
【補正対象書類名】明細書
【補正対象項目名】０１０３
【補正方法】変更
【補正の内容】
【０１０３】
図１６Ｂ、１６Ｄおよび１６Ｆを参照すると、時間期間ｔ１の後半および時間期間ｔ２において、リーダ／ライタ装置３０２および３０４の各々の受信部３５０は、図７Ｂの場合と同様に、常に受信待ち状態４６にあり、ＲＦ  ＩＤタグ２０２が接近して周波数ｆ２のＲＦ応答信号を受信する。時間期間ｔ３において、リーダ／ライタ装置３０４および３０６の各々の受信部３５０は、常に受信待ち状態４６にあり、ＲＦ  ＩＤタグ２０２が接近して周波数ｆ２のＲＦ応答信号を受信する。リーダ／ライタ装置の受信部３５０が周波数ｆ２のＲＦ応答信号を受信したときに、受信処理４８のタイミングにおいて受信ＲＦ応答信号を復調して符号化された暗号データを生成し、データ復号部３５０は符号化された暗号データを所定の符号化方式に従って復号し、その復号された暗号データを解読してタグＩＤを含む応答データを再生し、その再生された応答を制御部３１０に供給する。その受信再生された応答に応答して、制御部３１０はＲＦ  ＩＤタグ２０２を認証し、そのタグＩＤをホスト装置１００に供給する。
【手続補正１２】
【補正対象書類名】明細書
【補正対象項目名】０１０７
【補正方法】変更
【補正の内容】
【０１０７】
ホスト装置１００は、図１７Ａに示されているように、ｑ個のリーダ／ライタ装置Ｒ／Ｗ−１〜Ｒ／Ｗ−ｑのシステムＩＤまたは識別子、オン／オフおよびｍ個の送信周波数の値ｆ１１、ｆ１２、．．．ｆ１ｍを含む制御信号ＣＴＬをリーダ／ライタ装置Ｒ／Ｗ−１〜Ｒ／Ｗ−ｑに供給する。ここで、ｍは１＜ｍ＜ｑを満たす整数である。制御信号ＣＴＬは、例えば１秒のような時間長さＴｃを有する循環的なｑ個の時間期間ｔ１、ｔ２、．．．ｔｑの中の時間期間ｔ１〜ｔｍにおいてリーダ／ライタ装置Ｒ／Ｗ−１の送信部３３０をイネーブルして（オン状態にして）それぞれ送信周波数ｆ１１、ｆ１２、．．．ｆ１ｍに設定する。制御信号ＣＴＬは、時間期間ｔ１、ｔ２、ｔ３、．．．ｔｑの中の時間期間ｔ２〜ｔ（ｍ＋１）においてリーダ／ライタ装置Ｒ／Ｗ−２の送信部３３０をイネーブルして（オン状態にして）それぞれ送信周波数ｆ１１、ｆ１２、．．．ｆ１ｍに設定する。．．．以下、同様に行う。制御信号ＣＴＬは、時間期間ｔ１、ｔ２、．．．ｔｑの中の時間期間ｔｑ、ｔ１〜ｔ（ｍ−１）においてリーダ／ライタ装置Ｒ／Ｗ−ｑの送信部３３０をイネーブルして（オン状態にして）それぞれ送信周波数ｆ１１、ｆ１２、．．．ｆ１ｍに設定する。
【手続補正１３】
【補正対象書類名】明細書
【補正対象項目名】０１１０
【補正方法】変更
【補正の内容】
【０１１０】
図１８Ｃを参照すると、ＲＦ  ＩＤタグ２０２の受信部２５０は、各時間期間ｔ１〜ｔｑの各時間長さＴｃ内に受信周波数ｆ１１〜ｆ１ｍの数ｍより多い発生数で、周期的に同時にｋ個の受信周波数（ｆ１１〜ｆ１ｋ）、（ｆ１  ｋ＋１〜ｆ１  ２ｋ）、．．．（ｆ１  ｍ−ｋ＋１〜ｆ１ｍ）、（ｆ１１〜ｆ１ｋ）、．．．で、キャリア・センスを行うように動作する。受信部２５０がキャリア・センス期間５２にｍ個の受信周波数の中のｋ個の受信周波数ｆ１  ｐｋ＋１〜ｆ１  （ｐ＋１）ｋ（０≦ｐ≦ｍ／ｋ−１）のＲＦ信号をキャリア・センスして少なくとも１つのキャリアを検知したとき、前記制御部の制御の下で、受信部２５０は直後の受信処理５４の期間にその少なくとも１つの受信周波数のＩＤ要求信号を同時に受信し、送信部２３０は送信処理５６の期間に送信周波数ｆ２のＲＦ応答信号を送信する。例えばｋ＝３である。例えば、時間長さＴｃ内に、同時にｋ個の受信周波数で、ｍ／ｋ＋１回だけ（合計ｋ×（ｍ／ｋ＋１）＝ｍ＋ｋの発生数）キャリア・センスを行ってもよい。即ち、キャリア・センスの周期ＴｓはＴｓ＜Ｔｃ・ｋ／ｍ未満である。従って、図１７Ｃの場合と同様に、ＲＦ  ＩＤタグ２０２の受信部２５０は、リーダ／ライタ装置Ｒ／Ｗ−１〜Ｒ／Ｗ−ｑの各々の連続的送信の時間長さＴｃの各時間期間ｔ１〜ｔｑに全ての異なる受信周波数ｆ１１〜ｆ１ｍで異なるタイミングでキャリア・センスを行う。
【手続補正１４】
【補正対象書類名】図面
【補正対象項目名】図１３
【補正方法】変更
【補正の内容】
【図１３】
2008011422.tif 000001
【手続補正１５】
【補正対象書類名】図面
【補正対象項目名】図１６
【補正方法】変更
【補正の内容】
【図１６】
2008011422.tif 000002